(57)【要約】【課題】カール（湾曲）した用紙を基準面となる用紙積載台に押さえ込むことができるとともに、用紙を押さえ込むための機構を用紙サイズに合わせて容易に移動させることができる機構を備える、用紙押さえ装置、画像形成システム、およびカム保持装置を提供する。【解決手段】用紙押さえ部材１００４は、カム機構により、先端部１００４ｔ１が第２位置から第１位置Ｌ３に位置決めされて、用紙押さえ爪１００４ｔにより用紙Ｓの上端部領域を用紙積載台１００２側に向けて押さえ込む。【選択図】図２１
2012136337.tif 000002
【特許請求の範囲】
【請求項１】
画像形成装置から排出される用紙を受けとる用紙押さえ装置であって、
排出された前記用紙が載置され、用紙搬送方向に沿って開口された長孔を有する用紙積載台と、
前記用紙積載台の前記長孔において、前記用紙積載台の裏面側から表面側に向かって突出するとともに、前記長孔に沿って移動可能に設けられ、前記用紙搬送方向の下流側に向けて延びる用紙押さえ爪を有する用紙押さえ部材と、
前記長孔に沿って前記用紙押さえ部材を移動させる位置変更機構と、
前記用紙押さえ爪の先端部が、前記用紙積載台の表面に近接する第１位置と、前記用紙積載台の表面から前記第１位置よりも遠ざかる第２位置との間を移動可能にするカム機構と、を備え
前記カム機構は、前記位置変更機構により、前記用紙搬送方向に沿った前記用紙の長さに対応して、前記長孔に対する位置の変更が可能に設けられている、用紙押さえ装置。
【請求項２】
前記用紙押さえ部材は、
前記カム機構により、前記先端部が前記第１位置に位置決めされ、前記用紙押さえ爪の上面を前記用紙が搬送される待機位置と、
前記用紙が搬送された後、前記位置変更機構により、前記待機位置から前記用紙押さえ部材を前記長孔に沿って前記用紙搬送方向の上流側に向けて移動させた上流側位置と、
前記上流側位置において、前記カム機構により前記先端部が前記第２位置に位置決めされる押さえ込み準備位置と、
前記位置変更機構により、前記用紙押さえ部材を前記押さえ込み準備位置から前記長孔に沿って前記用紙搬送方向の下流側の所定位置まで移動させる下流側位置と、
前記下流側位置において、前記カム機構により前記先端部が前記第２位置から前記第１位置に位置決めされて、前記用紙押さえ爪により前記用紙の上流側端部領域を前記用紙積載台側に向けて押さえ込み、前記待機位置と同じ状態となる押さえ込み位置と、の各位置の間を順次移動する押さえ込みサイクルが可能に設けられるとともに、
前記カム機構は、前記位置変更機構により、前記用紙搬送方向に沿った前記用紙の長さに対応して、前記押さえ込みサイクルの初期位置である待機位置の変更が可能に設けられている、請求項１に記載の用紙押さえ装置。
【請求項３】
前記カム機構は、
前記先端部が、前記第１位置から前記第２位置に向かう方向に回転力を付与する力付与部材を有するカムピンと、
前記押さえ込みサイクルにしたがった前記用紙押さえ部材の移動にしたがって、前記カムピンを摺動可能に受け入れるカム溝と、を含み、
前記カム溝は、
前記先端部が前記待機位置から前記上流側位置に移動するまでの間、前記先端部が前記第１位置に位置するように前記カムピンを付勢する第１溝領域と、
前記先端部が前記上流側位置から前記押さえ込み準備位置に移動する際に、前記先端部が前記第１位置から前記第２位置に位置するように前記カムピンへの付勢を解除する第２溝領域と、
前記先端部が前記下流側位置から前記押さえ込み位置に移動する際に、前記先端部が前記第２位置から第１位置に位置するように前記カムピンを付勢する第３溝領域と、を有する請求項２に記載の用紙押さえ装置。
【請求項４】
前記用紙押さえ爪は、前記用紙の用紙搬送方向に対して直交する方向に複数配列され、
前記長孔は、前記前記用紙の用紙搬送方向に対して直交する方向に、前記用紙押さえ爪に対応して複数設けられる、請求項２または３に記載の用紙押さえ装置。
【請求項５】
前記用紙積載台の表面から所定の間隙を隔てて配置されるガイドカバーをさらに備え、
前記ガイドカバーは、
前記長孔に沿って設けられ、前記用紙積載台の表面から第１の距離を隔てた位置に設けられる第１カバー領域と、
前記長孔が設けられていない領域に沿って設けられ、前記第１の距離よりも短い第２の距離の位置に設けられる第２カバー領域と、を有し、
前記第２の距離は、
前記先端部が、前記第１位置における前記先端部と前記用紙積載台の表面との間の距離よりも大きく、
前記第１の距離は、
前記先端部が、前記第２位置における前記先端部と前記用紙積載台の表面との間の距離よりも小さい、請求項２から４のいずれかに記載の用紙押さえ装置。
【請求項６】
請求項１から５のいずれかに記載の用紙押さえ装置と、
該用紙押さえ装置に用紙を送り出す画像形成装置と、
を有する、画像形成システム。
【請求項７】
作動部材を、基準面の表面に近接する第１位置と、前記基準面から前記第１位置よりも遠ざかる第２位置との間を移動可能にするカム機構を含むカム保持装置であって、
前記カム機構は、
前記作動部材が、前記第１位置に位置決めされる待機位置と、
前記待機位置から前記作動部材を前記基準面沿って第１方向に移動させた第１移動位置と、
前記第１移動位置において、前記作動部材が前記第２位置に位置決めされる準備位置と、
前記作動部材を前記準備位置から前記第１方向とは反対の第２移動位置まで移動させた第２移動位置と、
前記第２移動位置において、前記作動部材が前記第２位置から前記第１位置に位置決めされて前記待機位置に戻るサイクルが可能に設けられるとともに、
前記サイクルの初期位置である待機位置の変更を可能にする位置変更機構を含む、カム保持装置。
【発明の詳細な説明】
【技術分野】
【０００１】
この発明は、画像形成装置から排出される用紙を受けとる用紙押さえ装置、画像形成システム、およびカム保持装置に関する。
【背景技術】
【０００２】
画像形成装置において画像が記録された用紙は、画像形成装置に設けられた用紙積載台や、画像形成装置に隣接された後処理装置に設けられた用紙積載台に積載される。用紙積載台に載置された用紙は、カール（湾曲）することが知られている。
【０００３】
用紙がカールした状態で、用紙積載台に次の用紙が進入した場合には、先に積載された用紙に進入経路が塞がれ、用紙積載台に用紙を積層収容できない。このような、用紙のカールを抑え、用紙の進入経路を確保する機構が下記特許文献１から４に開示されている。
【０００４】
特許文献１には、排出された用紙を押さえ付ける機能を維持しながら、用紙押さえ部材が用紙排出動作や用紙積載台からの取り出しの邪魔になるのを防止できる機構が開示されている。特許文献２には、用紙が用紙積載台にスタックされると電磁機構のソレノイドへの励磁電流をＯＦＦして、プランジャを弾条機構のスプリングの弾力によって突出させることで、用紙上面を抑える機構が開示されている。
【０００５】
特許文献３には、排出用紙がカールする場合であっても、用紙積載台の許容枚数まで積載可能にするため、アーム付回転体を用紙の排出タイミングに合わせて回転させる機構が開示されている。特許文献４には、カールした用紙でも積載するようにするために、シート押さえ手段により排出された用紙を押さえた後、シート規制手段を排出された用紙の上方に突出させることで、シート押さえ手段が退避位置に移動したときでもシート上面高さ位置を規制することが可能な機構が開示されている。
【先行技術文献】
【特許文献】
【０００６】
【特許文献１】特開２００７−５５７５２号公報
【特許文献２】特開平０１−１１７１６６号公報
【特許文献３】特開２０００−２１９３９６号公報
【特許文献４】特開２００９−１２０３３０号公報
【発明の概要】
【発明が解決しようとする課題】
【０００７】
しかし、上記いずれの特許文献に開示される機構においても、どの用紙のサイズでも用紙の後端を用紙積載台の端に揃えて積載する必要がある。
【０００８】
一方で、用紙積載台に用紙を積載した後に、中綴じ・中折等の後処理を施す後処理装置では、用紙センタを用紙積載台のセンタに揃えて用紙積載台に積載したほうが、都合が良い。これは、用紙の後端（用紙搬送方向の後側）を用紙積載台の端に揃えて積載した場合、積載した後に用紙の束を中綴じ・中折の処理位置まで搬送する必要があり、搬送中の用紙ズレ、生産性の低下などの問題が生じるからである。
【０００９】
本発明は、このような従来の構成が有していた問題点を解決し、カール（湾曲）した用紙を基準面となる用紙積載台に押さえ込むことができるとともに、用紙を押さえ込むための機構を用紙サイズに合わせて容易に移動させることができる機構を備える、用紙押さえ装置、画像形成システム、およびカム保持装置を提供することを目的とする。
【課題を解決するための手段】
【００１０】
この発明に基づいた用紙押さえ装置は、画像形成装置から排出される用紙を受けとる用紙押さえ装置であって、排出された上記用紙が載置され、用紙搬送方向に沿って開口された長孔を有する用紙積載台と、上記用紙積載台の上記長孔において、上記用紙積載台の裏面側から表面側に向かって突出するとともに、上記長孔に沿って移動可能に設けられ、上記用紙搬送方向の下流側に向けて延びる用紙押さえ爪を有する用紙押さえ部材と、上記長孔に沿って上記用紙押さえ部材を移動させる位置変更機構と、上記用紙押さえ爪の先端部が、上記用紙積載台の表面に近接する第１位置と、上記用紙積載台の表面から上記第１位置よりも遠ざかる第２位置との間を移動可能にするカム保持装置とを備える。上記カム機構は、上記位置変更機構により、上記用紙搬送方向に沿った上記用紙の長さに対応して、上記長孔に対する位置の変更が可能に設けられている。
【００１１】
他の形態においては、上記用紙押さえ部材は、上記カム機構により、上記先端部が上記第１位置に位置決めされ、上記用紙押さえ爪の上面を上記用紙が搬送される待機位置と、上記用紙が搬送された後、上記位置変更機構により、上記待機位置から上記用紙押さえ部材を上記長孔に沿って上記用紙搬送方向の上流側に向けて移動させた上流側位置と、上記上流側位置において、上記カム機構により上記先端部が上記第２位置に位置決めされる押さえ込み準備位置と、上記位置変更機構により、上記用紙押さえ部材を上記押さえ込み準備位置から上記長孔に沿って上記用紙搬送方向の下流側の所定位置まで移動させる下流側位置と、上記下流側位置において、上記カム機構により上記先端部が上記第２位置から上記第１位置に位置決めされて、上記用紙押さえ爪により上記用紙の上流側端部領域を上記用紙積載台側に向けて押さえ込み、上記待機位置と同じ状態となる押さえ込み位置と、の各位置の間を順次移動する押さえ込みサイクルが可能に設けられる。
【００１２】
上記カム機構は、上記位置変更機構により、上記用紙搬送方向に沿った上記用紙の長さに対応して、上記押さえ込みサイクルの初期位置である待機位置の変更が可能に設けられている。
【００１３】
他の形態においては、上記カム機構は、上記先端部が、上記第１位置から上記第２位置に向かう方向に回転力を付与する力付与部材を有するカムピンと、上記押さえ込みサイクルにしたがった上記用紙押さえ部材の移動にしたがって、上記カムピンを摺動可能に受け入れるカム溝とを含む。
【００１４】
上記カム溝は、上記先端部が上記待機位置から上記上流側位置に移動するまでの間、上記先端部が上記第１位置に位置するように上記カムピンを付勢する第１溝領域と、上記先端部が上記上流側位置から上記押さえ込み準備位置に移動する際に、上記先端部が上記第１位置から上記第２位置に位置するように上記カムピンへの付勢を解除する第２溝領域と、上記先端部が上記下流側位置から上記押さえ込み位置に移動する際に、上記先端部が上記第２位置から第１位置に位置するように上記カムピンを付勢する第３溝領域とを有する。
【００１５】
他の形態においては、上記用紙押さえ爪は、上記用紙の用紙搬送方向に対して直交する方向に複数配列され、上記長孔は、上記用紙の用紙搬送方向に対して直交する方向に、上記用紙押さえ爪に対応して複数設けられる。
【００１６】
他の形態においては、上記用紙積載台の表面から所定の間隙を隔てて配置されるガイドカバーをさらに備え、上記ガイドカバーは、上記長孔に沿って設けられ、上記用紙積載台の表面から第１の距離を隔てた位置に設けられる第１カバー領域と、上記長孔が設けられていない領域に沿って設けられ、上記第１の距離よりも短い第２の距離の位置に設けられる第２カバー領域とを有し、上記第２の距離は、上記先端部が、上記第１位置における上記先端部と上記用紙積載台の表面との間の距離よりも大きく、上記第１の距離は、上記先端部が、上記第２位置における上記先端部と上記用紙積載台の表面との間の距離よりも小さい。
【００１７】
この発明に基づいた画像形成システムは、上述のいずれかに記載の用紙押さえ装置と、該用紙押さえ装置に用紙を送り出す画像形成装置とを有する。
【００１８】
この発明に基づいたカム保持装置は、作動部材を、基準面の表面に近接する第１位置と、上記基準面から上記第１位置よりも遠ざかる第２位置との間を移動可能にするカム機構を含むカム保持装置であって、上記カム機構は、上記作動部材が、上記第１位置に位置決めされる待機位置と、上記待機位置から上記作動部材を上記基準面沿って第１方向に移動させた第１移動位置と、上記第１移動位置において、上記作動部材が上記第２位置に位置決めされる準備位置と、上記作動部材を上記準備位置から上記第１方向とは反対の第２移動位置まで移動させた第２移動位置と、上記第２移動位置において、上記作動部材が上記第２位置から上記第１位置に位置決めされて上記待機位置に戻るサイクルが可能に設けられるとともに、上記サイクルの初期位置である待機位置の変更を可能にする位置変更機構を含む。
【発明の効果】
【００１９】
この発明によれば、カールした用紙を基準面となる用紙積載台に押さえ込むことができるとともに、用紙を押さえ込むための機構を用紙サイズに合わせて容易に移動させることができる機構を備える、用紙押さえ装置、画像形成システム、およびカム保持装置を提供することが可能となる。
【図面の簡単な説明】
【００２０】
【図１】実施の形態における用紙押さえ装置が採用された後処理装置および画像形成装置を備える画像形成システムの概略断面図である。
【図２】実施の形態における後処理装置の用紙スタック部の要部拡大断面図である。
【図３】実施の形態における用紙押さえ装置の全体斜視図である。
【図４】実施の形態における用紙押さえ装置のガイドカバーを取り外した状態の斜視図である。
【図５】図３中Ｖ−Ｖ線矢視断面図である。
【図６】図４中のＶＩで囲まれた領域の部分拡大図である。
【図７】本実施の形態におけるカム機構を示す部分斜視図である。
【図８】本実施の形態におけるカム機構の構成を示す分解斜視図である。
【図９】本実施の形態におけるカム機構の動作を示す部分側面図である。
【図１０】本実施の形態におけるカム溝の詳細構造を示す部分斜視図である。
【図１１】本実施の形態におけるカム機構移動装置を示す部分斜視図である。
【図１２】（Ａ）から（Ｄ）は、本実施の形態におけるカム機構に用いられるカムピンの位置とカム溝の位置関係を示す部分拡大斜視図である。
【図１３】「待機位置」状態を示す、図３中Ｖ−Ｖ線矢視断面に対応した断面図である。
【図１４】「待機位置」状態における、カム機構の位置および用紙押さえ爪の位置を示す部分拡大斜視図である。
【図１５】「上流側位置」状態を示す、図３中Ｖ−Ｖ線矢視断面に対応した断面図である。
【図１６】「上流側位置」状態における、カム機構の位置および用紙押さえ爪の位置を示す部分拡大斜視図である。
【図１７】「押さえ込み準備位置」状態を示す、図３中Ｖ−Ｖ線矢視断面に対応した断面図である。
【図１８】「押さえ込み準備位置」状態における、カム機構の位置および用紙押さえ爪の位置を示す部分拡大斜視図である。
【図１９】「下流側位置」状態を示す、図３中Ｖ−Ｖ線矢視断面に対応した断面図である。
【図２０】「下流側位置」状態における、カム機構の位置および用紙押さえ爪の位置を示す部分拡大斜視図である。
【図２１】「押さえ込み位置（待機位置）」状態を示す、図３中Ｖ−Ｖ線矢視断面に対応した断面図である。
【図２２】「押さえ込み位置（待機位置）」状態における、カム機構の位置および用紙押さえ爪の位置を示す部分拡大斜視図である。
【図２３】大サイズ用紙のスタック時における用紙押さえ爪の移動軌跡を示す、図３中Ｖ−Ｖ線矢視断面に対応した断面図である。
【図２４】中サイズ用紙のスタック時における用紙押さえ爪の移動軌跡を示す、図３中Ｖ−Ｖ線矢視断面に対応した断面図である。
【図２５】小サイズ用紙のスタック時における用紙押さえ爪の移動軌跡を示す、図３中Ｖ−Ｖ線矢視断面に対応した断面図である。
【発明を実施するための形態】
【００２１】
本発明に基づいた実施の形態における用紙押さえ装置、画像形成システム、およびカム機構について、以下、図を参照しながら説明する。なお、以下に説明する実施の形態において、個数、量などに言及する場合、特に記載がある場合を除き、本発明の範囲は必ずしもその個数、量などに限定されない。また、同一の部品、相当部品に対しては、同一の参照番号を付し、重複する説明は繰り返さない場合がある。
【００２２】
（画像形成システム）
図１は、実施の形態における用紙押さえ装置が採用された後処理装置ＦＳおよび画像形成装置Ａを備える画像形成システムの概略断面図である。
【００２３】
（画像形成装置Ａ）
画像形成装置Ａは、画像読取部１、画像処理部２、画像書込部３、画像形成部４、給紙カセット５、給紙ローラ手段６、定着装置７、排紙ローラ８、自動両面コピー給紙部９を備えている。
【００２４】
画像形成装置Ａの上部には、自動原稿送り装置ＤＦが搭載されている。また、画像形成装置Ａの図示左側面の排紙ローラ８側には、後処理装置ＦＳが連結されている。自動原稿送り装置ＤＦの原稿台上に載置された原稿は、搬送路に沿って搬送され画像読取部１の光学系により原稿の片面又は両面の画像が走査され、ＣＣＤイメージセンサ１Ａに読み込まれる。
【００２５】
ＣＣＤイメージセンサ１Ａにより光電変換されたアナログ信号は、画像処理部２において、アナログ処理、Ａ／Ｄ変換、シェーディング補正、画像圧縮処理等を施された後、画像書込部３に送られる。画像書込部３に送られた画像データに基づき半導体レーザが発光駆動され、画像形成部４の感光体ドラム４Ａに照射されて潜像が形成される。画像形成部４においては、帯電、露光、現像、転写、分離、クリーニング等の処理が行なわれ、感光体ドラム４Ａ上にトナー像が形成される。
【００２６】
給紙カセット５から給紙ローラ手段６により給送された記録用紙Ｓ１は、感光体ドラム４Ａに到達し、転写手段４Ｂによりトナー像が記録用紙Ｓ１に転写される。トナー像を担持した記録用紙Ｓ１は、定着装置７により定着処理され、排紙ローラ８から後処理装置ＦＳに送り込まれる。両面コピーの場合には、片面画像処理済みの記録用紙Ｓ１は搬送路切り替え板８Ａにより自動両面コピー給紙部９に送り込まれ、画像形成部４において裏面にトナー像が転写され、定着された後、排紙ローラ８から後処理装置ＦＳに送り込まれる。
【００２７】
（後処理装置ＦＳ）
後処理装置ＦＳは、用紙搬入部２０と、挿入紙給紙部３０ａ、３０ｂと、複数の後処理部とを有する。後処理部としては、孔あけ処理部４０、折り部５０、重ね合わせ処理部６０、端綴じ（平綴じ）処理部７１、用紙押さえ装置１０００、中綴じ処理部７２、および排紙部８０を有する。
【００２８】
挿入紙給紙部３０ａには挿入紙Ｓ２が装填され、挿入紙給紙部３０ｂには他の挿入紙Ｓ３が装填される。挿入紙Ｓ２、Ｓ３は、表紙用紙や画像形成装置Ａから排出される複数枚の記録用紙Ｓ１の間に挿入されるインサート用紙等の挿入紙であり、記録用紙Ｓ１と同様に、孔あけ処理や折り処理を行なうことができる。なお、以下の説明では、記録用紙Ｓ１、挿入紙Ｓ２、Ｓ３を総称して用紙Ｓと称する。
【００２９】
挿入紙給紙部３０ａ、３０ｂから送り出された挿入紙Ｓ２、Ｓ３は下方に向かう搬送路を経て用紙搬入部２０に搬送される。孔あけ処理部４０は、用紙搬入部２０の左手下流側に配置され、用紙Ｓにパンチ孔を開ける。
【００３０】
孔あけ処理部４０の下流から下方に分岐した搬送路Ｈ１は、搬送ローラ２３を経て用紙スタック部１００に続く。用紙スタック部１００には、本発明に係わる用紙押さえ装置１０００、中綴じ処理部７２、折り部５０が配置されており、詳しくは後述する。
【００３１】
重ね合わせ処理部６０は、孔あけ処理部４０の下流から上方に分岐した搬送路Ｈ２の下流側に配設され、搬送路Ｈ３、Ｈ４、Ｈ５を備えている。重ね合わせ処理部６０は、その下流側に位置する端綴じ処理部７１において、先行する用紙Ｓに綴じ処理するための時間を確保するために、２部目以降の後続の用紙Ｓを搬送路Ｈ３および搬送路Ｈ４、Ｈ５に待機させる。
【００３２】
搬送路Ｈ２の下流側に位置する搬送路は、二重に湾曲する搬送路に分岐し、内側の搬送路Ｈ４と外側の搬送路Ｈ３、Ｈ５とに分かれる。搬送路Ｈ２から分岐して湾曲する内側の搬送路Ｈ４の排出口には、搬送ローラ２１が設けられ、綴じ処理を行なう際、１部目の用紙Ｓは、搬送路Ｈ２、Ｈ４、搬送ローラ２１を経由して順次集積部７０に送り込まれ、集積部７０で綴じ処理される。２部目以降の用紙Ｓの１枚目が搬送されてきた場合、搬送ローラ２１は回転を停止した状態で用紙先端を受け止め、用紙先端を搬送ローラ２１のニップに当接した状態で待機させる。
【００３３】
搬送路Ｈ４に搬送された用紙Ｓは、上記のように、搬送ローラ２１にその先端が当接した状態で待機するが、次の用紙Ｓは、搬送路Ｈ２から搬送路Ｈ３に進入して、搬送路Ｈ５経由で搬送ローラ２１に到達する。先行する用紙Ｓと後行する用紙Ｓとが搬送ローラ２１で先端を当接して重なった状態になると、搬送ローラ２１が回転し、２枚一緒に搬送して集積部７０へと送り込む。このように２部目以降の用紙Ｓは重ね合わせ処理部６０で先行する用紙束の綴じ処理が終了するまで待機され、綴じ処理が画像形成装置Ａの生産性を落とすことなく行なわれる。
【００３４】
搬送路Ｈ２の下流の搬送路Ｈ３は、さらに搬送路Ｈ５と搬送路Ｈ６に分岐している。搬送路Ｈ６は、排紙部８０の一部を構成する固定排紙皿８１に用紙Ｓを排出するもので、固定排紙皿８１は、搬送路Ｈ６の下流側で、後処理装置ＦＳの機外に突出する位置に配設され、少量の用紙Ｓを集積する場合に用いられる。
【００３５】
排紙部８０は、さらに昇降排紙皿８２と後述する下部排紙皿８３とを有し、搬送ローラ２１と昇降排紙皿８２との間には排紙ローラ２２、集積部７０、端綴じ処理部７１、および図示しない整合機構が配置される。排紙ローラ２２は、一対のローラからなり、非排紙時には一対のローラは離隔しており、排紙時に接触して用紙Ｓを昇降排紙皿８２に排出する。
【００３６】
搬送ローラ２１により搬送される用紙Ｓは、離隔している排紙ローラ２２間を図中左方向に走行し、後端が搬送ローラ２１から離れたときに、集積部７０に落下し、傾斜している集積部７０を滑落してストッパ（図示せず）により受け止められて集積部７０上で停止する。順次、用紙Ｓが排出され、設定枚数の用紙Ｓが集積部７０上に集積されると、端綴じ処理部７１が作動して用紙Ｓのストッパ側端面を綴じ処理する。
【００３７】
綴じ処理された用紙Ｓは上記ストッパにより押し上げられて集積部７０上を左上方に移動する。このとき、排紙ローラ２２を構成する一対のローラが接触して用紙Ｓをニップし、搬送して、昇降排紙皿８２に排出する。
【００３８】
後処理なしで大量の画像形成を行なう際には、用紙Ｓは用紙搬入部２０から搬送路Ｈ２、Ｈ４を経て昇降排紙皿８２に排出され、昇降排紙皿８２は、排紙される用紙Ｓの最上面が常に一定した高さになるように図の鎖線で示すように下方に移動する。したがって、昇降排紙皿８２上には、数千枚の用紙を集積することが可能である。
【００３９】
用紙スタック部１００は、搬送ローラ２３の下流で水平方向に対して斜めに配置されており、用紙Ｓをガイドする複数のガイド部材および規制部材と、用紙押さえ装置１０００、中綴じ処理部７２と、折り部５０とを有し、１枚以上の用紙Ｓに対して、中折りモード、中折り・中綴じモード、三つ折りモードの各モードで用紙を処理し、下部排紙皿８３に排出する。
【００４０】
図２は、実施の形態における後処理装置の用紙スタック部１００の要部拡大断面図である。図２の二点鎖線は、後述の説明のために引いた仮想平面であり、用紙Ｓは、大略この仮想平面に沿って斜め上方から斜め下方に向けて搬入される。また、図中右下に記すように、以下の説明において、仮想平面に沿って斜め下方に向かう方向をＸ方向、紙面においてＸ方向と直交する方向をＹ方向、紙面に対して垂直な方向をＺ方向とする。
【００４１】
用紙スタック部１００を構成するガイド部材は、上流側ガイド部材１０１、１０２と下流側ガイド部材１０３、１０４からなり、上流側ガイド部材１０１、１０２の上部側に用紙押さえ装置１０００が位置し、上流側ガイド部材１０１、１０２の中ほどに中綴じ処理部７２が位置し、上流側ガイド部材１０１、１０２と下流側ガイド部材１０３、１０４との間に折り部５０が位置する。なお、上流側ガイド部材１０１、１０２の適宜位置には、図示しない用紙幅整合部材が配置されて、用紙Ｓの幅方向（Ｚ、逆Ｚ方向）の整合を行なうが、その説明は省略する。
【００４２】
折り部５０の下流には、下流側ガイド部材１０３、１０４に沿って移動可能な規制部材１０５が設けられる。規制部材１０５は用紙Ｓの下端を所定位置に規制するものであり、用紙サイズに応じて移動される。
【００４３】
上流側ガイド部材１０１と下流側ガイド部材１０３とは、用紙スタック部１００の下側（逆Ｙ方向側）に位置し、用紙Ｓがその面に沿って滑落し積載されるスタック面を構成する。また、上流側ガイド部材１０２と下流側ガイド部材１０４は、上流側ガイド部材１０１と下流側ガイド部材１０３と一定間隔をあけて対向配置される。
【００４４】
中綴じ処理部７２は、受針機構７２ａと打針機構７２ｂとからなり、用紙Ｓの束の用紙搬送方向の中央部が規制部材１０５によって位置決めされると作動して、用紙Ｓの束を中綴じする。具体的には、規制部材１０５が用紙Ｓの用紙搬送方向（Ｘ、逆Ｘ方向）に移動することで、複数枚の用紙Ｓのセンタは、中綴じ処理部７２に合わされてスタックされる。複数枚の用紙Ｓがスタックされた後、中綴じ処理部７２で用紙Ｓの束が中綴じされる。なお、中綴じ処理部７２で中綴じ処理が行なわれない場合には、用紙Ｓのセンタが折り部５０に合うように、用紙Ｓがスタックされる。
【００４５】
折り部５０は、折り板５１、折り上ローラ５２、折り下ローラ５３、第２折りローラ５４、搬送路切替部材５５、折り導入手段を構成する案内部材５６と先端停止部材５７を備え、用紙Ｓを二つ折り処理又は三つ折り処理を行なう。
【００４６】
二つ折り処理においては、まず用紙Ｓの中央部が折り板５１の位置に位置するよう規制部材１０５が移動される。ついで、折り上ローラ５２、折り下ローラ５３が回転しながら折り板５１が用紙Ｓを折り上ローラ５２と折り下ローラ５３の間に挿入する。折り上ローラ５２と折り下ローラ５３は図示しないバネ部材で互いに圧接するよう付勢されているので、用紙Ｓは中央部で折り目をつけて折り処理され、破線位置に位置する搬送路切替部材５５の下方を通って下部排紙皿８３に排出される。
【００４７】
三つ折り処理においては、搬送路切替部材５５は実線で示す位置に設定される。用紙Ｓはその３分の１の位置で二つ折り処理と同様に折り処理され、ついで、用紙Ｓがその折り目を先頭にして搬送路切替部材５５の上面に沿って案内部材５６に導かれる。このとき、先端停止部材５７は用紙のサイズに応じた所定位置に位置決めされており、用紙Ｓの先端の折り目を停止させる。
【００４８】
先端が停止された状態でさらに折り上ローラ５２と折り下ローラ５３、および第２折りローラ５４が回転すると、用紙Ｓは撓んで湾曲し、折り下ローラ５３と第２折りローラ５４の間で挟み込まれ、第２の折り処理が行なわれる。そして、用紙Ｓは、第２折りローラ５４の下方を通って下部排紙皿８３に排出される。
【００４９】
（用紙押さえ装置１０００）
ここで、用紙スタック部１００において、複数枚の用紙Ｓがスタックされる場合に、用紙Ｓのカールにより、複数枚の用紙Ｓが適切に積層されない場合が考えられる。そこで、本実施の形態における後処理装置ＦＳにおいては、搬送ローラ２３と中綴じ処理部７２との間に、用紙Ｓのカールを上流側ガイド部材１０１側（逆Ｙ方向）に押さえる用紙押さえ装置１０００が設けられている。以下、この用紙押さえ装置１０００の詳細について図３から図１１を参照して説明する。
【００５０】
なお、図３は、用紙押さえ装置１０００の全体斜視図、図４は、用紙押さえ装置のガイドカバーを取り外した状態の斜視図、図５は、図３中Ｖ−Ｖ線矢視断面図、図６は、図４中のＶＩで囲まれた領域の部分拡大図、図７は、カム機構を示す部分斜視図、図８は、カム機構の構成を示す分解斜視図、図９は、カム機構の動作を示す部分側面図、図１０は、カム溝の詳細構造を示す部分斜視図、図１１は、カム機構移動装置（位置変更機構）を示す部分斜視図である。
【００５１】
図３から図５に示すように、用紙押さえ装置１０００は、画像形成装置Ａから排出される用紙Ｓを、図中Ｆ１方向から受けとる基準面となる用紙積載台１００２と、この用紙積載台１００２に対して所定の間隙を隔てて配置されるガイドカバー１００３とを有している。用紙積載台１００２には、用紙Ｓの用紙搬送方向に沿った長孔形状のスリット孔１００２ｈが複数設けられている。用紙積載台１００２およびガイドカバー１００３は側面フレーム１００１に固定されている。
【００５２】
用紙積載台１００２に設けられたスリット孔１００２ｈには、用紙積載台１００２の裏面側から表面側に向かって突出するとともに、スリット孔１００２ｈに沿って上下方向に移動可能に設けられ、用紙Ｓの用紙搬送方向の下流側（図中Ｆ２方向）に向けて延びる用紙押さえ爪１００４ｔを有する用紙押さえ部材１００４が配置されている。よって、用紙押さえ爪１００４ｔは、用紙Ｓの用紙搬送方向に対して直交する方向に複数配列されることとなり、また、スリット孔１００２ｈは、用紙Ｓの用紙搬送方向に対して直交する方向に、用紙押さえ爪１００４ｔに対応して複数設けられる。用紙押さえ部材１００４は、側面視において逆Ｕ字形を有している。
【００５３】
ガイドカバー１００３は、用紙積載台１００２の表面から第１の距離Ｌ１（図５参照））を隔てた位置において、スリット孔１００２ｈに沿って設けられる第１カバー領域１００３ａと、スリット孔１００２ｈが設けられていない領域に沿って設けられ、第１の距離Ｌ１よりも短い第２の距離Ｌ２（図５参照）の位置に設けられる第２カバー領域１００３ｂとを有している。ガイドカバー１００３は、外観においては、凹凸の波型に成形されている。
【００５４】
図５に示す断面において、用紙押さえ爪１００４ｔの先端部１００４ｔ１は、用紙積載台１００２の表面に近接する位置（第１位置：距離Ｌ３）に位置している状態を示しており、用紙Ｓは、用紙押さえ爪１００４ｔの上面と、ガイドカバー１００３の第２カバー領域１００３ｂの内面との隙間を通過する。
【００５５】
用紙押さえ部材１００４は、後述する位置変更機構により、スリット孔１００２ｈに沿って用紙の搬送方向（図示では上下方向）に沿って移動可能に設けられ、上記した折り部５０に用紙Ｓのセンタが合うように、規制部材１０５（図２参照）および用紙押さえ部材１００４の位置調整が行なわれる。
【００５６】
（カム機構ＣＭ／位置変更機構ＨＭ）
次に、図６から図１０を参照して、用紙押さえ爪１００４ｔの先端部１００４ｔ１が、用紙積載台１００２の表面に近接する第１位置（距離Ｌ３）と、用紙積載台１００２の表面から第１位置（距離Ｌ３）よりも遠ざかる第２位置（距離Ｌ４：図１７参照）との間を移動可能にするカム機構ＣＭ、および、スリット孔１００２ｈに沿って用紙押さえ部材１００４を上下方向に移動させる位置変更機構ＨＭについて説明する。なお、用紙搬送方向が略水平方向になる場合には、搬送方向の上流側が第１方向となり、搬送方向の下流側が第２方向となる。
【００５７】
図６から図８に示すように、用紙押さえ部材１００４の用紙押さえ爪１００４ｔが複数配列されたベース部１００４Ｂの端部にカム機構ＣＭが設けられている。このカム機構ＣＭは、ベース部１００４Ｂから突出するフランジ部１００４Ｆから延びる軸ピン１００４ａを有している。ベース部１００４Ｂおよび用紙押さえ爪１００４ｔは、この軸ピン１００４ａを回転軸芯ＣＬとして回動するように設けられる。
【００５８】
フランジ部１００４Ｆの先端側には、軸ピン１００４ａに対して並行に延びるように、カム部材１００８が設けられている。このカム部材１００８は、軸ピン１００４ａに対して並行に延びるカムピン１００８ａと、このカムピン１００８ａの中間領域において半径方向に環状に張出す円環部１００８ｂと、この円環部１００８ｂの周縁部からカムピン１００８ａに対して並行に延び、カムピン１００８ａがその軸方向に摺動可能なように、カム部材１００８をフランジ部１００４Ｆの先端側に固定するための一対の固定爪１００８ｃとを有している。
【００５９】
カムピン１００８ａの後端部は、フランジ部１００４Ｆに設けられたピン孔１００４ｂに摺動可能に挿入される。また、フランジ部１００４Ｆと円環部１００８ｂとの間のカムピン１００８ａには、コイルばね１００９が軸方向に圧縮された状態で挿入されている。これにより、カムピン１００８ａは常に図７および図８中の矢印Ｒ２に付勢された状態となる。
【００６０】
用紙押さえ部材１００４のフランジ部１００４Ｆと側面フレーム１００１との間には、軸ピン１００４ａが挿入されるピン挿入孔１００６ａを有する移動部材１００６が設けられている。軸ピン１００４ａには、ねじりコイルばね１００７が挿入されている。
【００６１】
ねじりコイルばね１００７の一端は移動部材１００６側に固定され、他端は用紙押さえ部材１００４側に固定される。ねじりコイルばね１００７は、ねじり方向に圧縮された状態で固定されることにより、移動部材１００６に対して、用紙押さえ部材１００４は、軸ピン１００４ａを回転軸芯ＣＬとして、図８および図９中の矢印Ｒ１に示す回転方向に付勢された状態とされる。
【００６２】
移動部材１００６は、ピン挿入孔１００６ａの軸芯と同一の軸芯に設けられる第１摺動ピン１００６ｂが、ピン挿入孔１００６ａを挟んで軸ピン１００４ａとは反対側に設けられている。また、移動部材１００６は、第１摺動ピン１００６ｂの下方位置に、第２摺動ピン１００６ｃを有している。さらに、移動部材１００６は、後述の駆動ベルトＢ１（図１１参照）に連結される連結部１００６ｘが設けられている。
【００６３】
移動部材１００６の第１摺動ピン１００６ｂおよび第２摺動ピン１００６ｃは、側面フレーム１００１に設けられた摺動溝１０１０に嵌め入れられた状態で、摺動溝１０１０内を上下方向に摺動する。したがって、移動部材１００６自体が回転することはなく、摺動溝１０１０に沿って移動部材１００６は上下方向に移動する。
【００６４】
また、カム部材１００８のカムピン１００８ａは、側面フレーム１００１に設けられた摺動溝１０１０に対して並行に配置されたカム溝１００５に嵌め入れられた状態でカム溝１００５を上下方向に摺動する。
【００６５】
（カム溝）
ここで、図１０を参照して、カム溝１００５の詳細について説明する。本実施の形態におけるカム溝１００５は、上端領域に設けられる第１領域１００５Ｒ１、中間領域に設けられる第２領域１００５Ｒ２、および、下端領域に設けられる第３領域１００５Ｒ３を有している。各領域に形成される溝形状は同じであり、本実施の形態における用紙押さえ装置１０００にスタックされる用紙の大きさに応じて、移動部材１００６を移動させて、用紙Ｓの大きさに適した領域における溝が用いられる。
【００６６】
カム溝１００５の、第１領域１００５Ｒ１、第２領域１００５Ｒ２、および第３領域１００５Ｒ３は同じ形状であることから、ここでは第１領域１００５Ｒ１について、溝形状を説明する。摺動溝１０１０に並行に延びるように第１深さを有する第１溝１００５ａが設けられている。第１溝１００５ａの上端側には、第１深さよりも浅い深さを有する第２溝１００５ｃに達する上部スロープ１００５ｂが設けられている。
【００６７】
第２溝１００５ｃは、第１溝１００５ａの上端部から、摺動溝１０１０とは反対側の領域において第１溝１００５ａに対して並行に設けられている。第２溝１００５ｃの下端部には、第１溝１００５ａ側に向かう傾斜側壁１００５ｄが設けられ、また、第１溝１００５ａの下端部には、第１溝１００５ａの底面に向かう下部スロープ１００５ｅが形成されている。なお、第３領域１００５Ｒ３の下端においては、スロープを設ける必要がないため、下端壁１００５ｆが形成されている。
【００６８】
（位置変更機構ＨＭ）
次に、図１１を参照して、移動部材１００６を摺動溝１０１０に沿って（図中では上下方向）駆動させるための位置変更機構ＨＭについて説明する。移動部材１００６を摺動溝１０１０に沿って移動させるために、駆動モータ１０１９、下部プーリＰ１、上部プーリＰ２、中間プーリＰ３が設けられ、駆動モータ１０１９、下部プーリＰ１、上部プーリＰ２、および中間プーリＰ３には、駆動ベルトＢ１が無限軌道を構成するように掛けわたされている。この駆動ベルトＢ１に対して、移動部材１００６の連結部１００６ｘが連結されている。
【００６９】
（カムピン１００８ａの動き）
次に、図１２（Ａ）から（Ｄ）を参照して、移動部材１００６に設けられたカムピン１００８ａのカム溝１００５内での動きについて説明する。図１２（Ａ）から（Ｄ）は、カム機構ＣＭに用いられるカムピンの位置とカム溝の位置関係を示す部分拡大斜視図である。第１領域１００５Ｒ１、第２領域１００５Ｒ２、および第３領域１００５Ｒ３の各領域内でのカムピン１００８ａの動きは同じであることから、一例として、第１領域１００５Ｒ１におけるカムピン１００８ａの動きについて説明する。移動部材１００６の上下位置は、位置変更機構ＨＭによって所定高さ位置となるように制御される。
【００７０】
なお、図７から図９を用いて説明したように、カムピン１００８ａには、ねじりコイルばね１００７により、Ｒ１方向に向かう付勢力（第１溝１００５ａから第２溝１００５ｃに向かう方向）が常に付与され、また、コイルばね１００９により、カムピン１００８ａの軸方向（カム溝１００５に当接する方向）であるＲ２方向に向かう付勢力が常に付与されている。
【００７１】
図１２（Ａ）に示すカムピン１００８ａの位置は、用紙押さえ部材１００４が後述する「待機位置」および「押さえ込み位置」に位置する場合を示している。カムピン１００８ａは、第１溝１００５ａの下端部に位置している。
【００７２】
図１２（Ｂ）に示すカムピン１００８ａの位置は、移動部材１００６を摺動溝１０１０に沿って上昇させた位置で、用紙押さえ部材１００４が後述する「上流側位置」に位置する場合を示している。カムピン１００８ａは、第１溝１００５ａの上端部を越えて、上部スロープ１００５ｂに位置している。
【００７３】
図１２（Ｃ）に示すカムピン１００８ａの位置は、移動部材１００６を摺動溝１０１０に沿ってさらに上昇させた位置で、用紙押さえ部材１００４が後述する「押さえ込み準備位置」に位置する場合を示している。カムピン１００８ａは、ねじりコイルばね１００７によるＲ１方向に向かう付勢力に基づき、第２溝１００５ｃ側に移動する。
【００７４】
図１２（Ｄ）に示すカムピン１００８ａの位置は、移動部材１００６を摺動溝１０１０に沿って下降させた位置で、用紙押さえ部材１００４が後述する「下流側位置」に位置する場合を示している。カムピン１００８ａは、傾斜側壁１００５ｄに沿って徐々に下部スロープ１００５ｅ側に移動し、さらにカムピン１００８ａが下降することで、下部スロープ１００５ｅ上に移動する。カムピン１００８ａは、図１２（Ａ）から図１２（Ｄ）に示すサイクルを繰り返すように、移動部材１００６の往復運動が制御される。
【００７５】
ここで、第１溝１００５ａは、先端部１００４ｔ１が「待機位置」から「上流側位置」に移動するまでの間、先端部１００４ｔ１が第１位置に位置するようにカムピンを付勢する第１溝領域を構成する。
【００７６】
また、第２溝１００５ｃは、先端部１００４ｔ１が「上流側位置」から「押さえ込み準備位置」に移動する際に、先端部１００４ｔ１が第１位置から第２位置に位置するようにカムピン１００８ａへの付勢を解除する第２溝領域を構成する。
【００７７】
また、第２溝１００５ｃの傾斜側壁１００５ｄは、先端部１００４ｔ１が「下流側位置」から「押さえ込み位置」に移動する際に、先端部１００４ｔ１が第２位置から第１位置に位置するようにカムピン１００８ａを付勢する第３溝領域を構成する。
【００７８】
（押さえ込みサイクル）
次に、上記構成からなる用紙押さえ装置１０００を用いた、用紙Ｓの押さえ込みサイクルについて、図１３から図２２を参照して説明する。なお、以下の説明においては、移動部材１００６が、カム溝１００５の第２領域１００５Ｒ２において押さえ込みサイクを実施する場合について説明する。
【００７９】
なお、図１３および図１４は、「待機位置」状態における、カム機構の位置および用紙押さえ爪の位置を示し、図１５および図１６は、「上流側位置」状態における、カム機構の位置および用紙押さえ爪の位置を示し、図１７および図１８は、「押さえ込み準備位置」状態における、カム機構の位置および用紙押さえ爪の位置を示し、図１９および図２０は、「下流側位置」状態における、カム機構の位置および用紙押さえ爪の位置を示し、図２１および図２２は、「押さえ込み位置（待機位置）」状態における、カム機構の位置および用紙押さえ爪の位置を示す図である。
【００８０】
「待機位置」
図１３を参照して、押さえ込みサイクルの「待機位置」について説明する。「待機位置」は、カム機構により、用紙押さえ爪１００４ｔの先端部１００４ｔ１が、用紙積載台１００２の表面に近接する第１位置（距離Ｌ３）に位置決めされ、用紙押さえ爪１００４ｔの上面を用紙Ｓが搬送される状態である。図１３においては、用紙Ｓの下流側端部（下端）は規制部材１０５（図２参照）により支持されており、用紙Ｓの上流側端部（上端）は、用紙押さえ爪１００４ｔの上面とガイドカバー１００３の第２カバー領域１００３ｂの下面との間に位置している。
【００８１】
図１４を参照して、図１２（Ａ）に示したように、カム部材１００８のカムピン１００８ａは、第１溝１００５ａの下流側の端部に位置している。
【００８２】
「上流側位置」
図１５を参照して、押さえ込みサイクルの「上流側位置」について説明する。「上流側位置」は、用紙Ｓが搬送された後、上記した位置変更機構により、「待機位置」から用紙押さえ部材１００４をスリット孔１００２ｈに沿って用紙搬送方向の上流側（図中Ｕ１方向）に向けて移動させた位置を示す。用紙押さえ爪１００４ｔの先端部１００４ｔ１は、用紙積載台１００２の表面に近接する第１位置（距離Ｌ３）に位置決めされた状態である。用紙押さえ部材１００４の上流側位置は、移動部材１００６を上流側（図中Ｕ１方向）に所定距離移動させることにより実現される。「上流側位置」においては、用紙Ｓの先端部分は、用紙押さえ爪１００４ｔの先端部１００４ｔ１よりも下流側に位置する状態となる。
【００８３】
図１６を参照して、図１２（Ｂ）に示したように、カム部材１００８のカムピン１００８ａは、第１溝１００５ａの上端部を越えて、上部スロープ１００５ｂに位置している。
【００８４】
「押さえ込み準備位置」
図１７を参照して、押さえ込みサイクルの「押さえ込み準備位置」について説明する。「押さえ込み準備位置」は、上流側位置において、カム機構により先端部１００４ｔ１が、第１位置からＲ１方向に回動して、用紙積載台１００２の表面から第１位置よりも遠ざかる第２位置（距離Ｌ４）に位置決めされる状態である。
【００８５】
図１８を参照して、図１２（Ｃ）に示したように、カムピン１００８ａは、移動部材１００６を摺動溝１０１０に沿ってさらに上流側に移動させることで、ねじりコイルばね１００７によるＲ１方向に向かう付勢力に基づき、第２溝１００５ｃ側に移動する。これより、先端部１００４ｔ１は、軸ピン１００４ａを回転軸芯ＣＬとしてＲ１方向に回動する（図８および図９参照）。
【００８６】
この際、用紙Ｓの上端部分に大きく湾曲するカール部分が存在する場合であっても、ガイドカバー１００３の第２カバー領域１００３ｂの下面側によって押さえ付けられる。また、先端部１００４ｔ１は、第２カバー領域１００３ｂの下面側よりも第１カバー領域１００３ａ側に位置している。
【００８７】
「下流側位置」
図１９を参照して、押さえ込みサイクルの「下流側位置」について説明する。「下流側位置」は、位置変更機構により用紙押さえ部材１００４を「押さえ込み準備位置」からスリット孔１００２ｈに沿って用紙Ｓの用紙搬送方向（図中Ｄ１方向）に対して下流側の所定位置まで移動させた状態である。これにより、先端部１００４ｔ１は、用紙Ｓの表面側に位置することとなり、逆Ｕ字形状の用紙押さえ部材１００４により用紙Ｓの上端部分は、覆われる状態となる。用紙押さえ爪１００４ｔの先端部１００４ｔ１は、用紙積載台１００２の表面から第２位置（距離Ｌ４）に位置決めされた状態である。
【００８８】
図２０を参照して、図１２（Ｄ）に示したように、カムピン１００８ａは、移動部材１００６を摺動溝１０１０に沿って下流側に移動させ、傾斜側壁１００５ｄに沿って徐々に下部スロープ１００５ｅ側に移動し、さらにカムピン１００８ａが下流側に移動することで、下部スロープ１００５ｅ上に移動する。
【００８９】
「押さえ込み位置（待機位置）」
図２１を参照して、押さえ込みサイクルの「押さえ込み位置」について説明する。「押さえ込み位置」は、先端部１００４ｔ１が第２位置（距離Ｌ４）からＲ２方向に回動して第１位置（距離Ｌ３）に位置決めされ、用紙押さえ爪１００４ｔにより用紙Ｓの上端部領域を用紙積載台１００２側に向けて押さえ込む位置である。
【００９０】
図２２を参照して、図１２（Ａ）に示したように、カム部材１００８のカムピン１００８ａは、第１溝１００５ａの下端部に位置している。この位置状態は、「待機位置」状態と同じである。その後、図１３に示したように、用紙押さえ爪１００４ｔの上面に次の用紙Ｓが搬送される状態となり、上述の各位置の間を順次移動する押さえ込みサイクルが実行される。
【００９１】
なお、上記図１３から図２２においては、移動部材１００６が、カム溝１００５の第２領域１００５Ｒ２において押さえ込みサイクルを実行する場合について説明したが、第１溝１００５ａまたは第２溝１００５ｃにおいても同様に押さえ込みサイクルを実行することが可能である。
【００９２】
ここで、図２３から図２５を参照して、用紙サイズに対応した用紙押さえ部材の移動軌跡について説明する。図２３は大サイズ用紙における用紙押さえ部材の移動軌跡を示す断面図、図２４は中サイズ用紙における用紙押さえ部材の移動軌跡を示す断面図、図２５は小サイズ用紙における用紙押さえ部材の移動軌跡を示す断面図である。
【００９３】
図２３は、大サイズ用紙に対応し、最上段（上流側）に位置する第１領域１００５Ｒ１を用いて、移動部材１００６が押さえ込みサイクルを実行した場合の、用紙押さえ部材１００４の移動軌跡Ａ１を示す図である。
【００９４】
また、図２４は、中サイズ用紙に対応し、中段に位置する第２領域１００５Ｒ２を用いて、移動部材１００６が押さえ込みサイクルを実行した場合の、用紙押さえ部材１００４の移動軌跡Ａ２を示す図である。
【００９５】
また、図２５は、小サイズ用紙に対応し、最下段（下流側）に位置する第３領域１００５Ｒ３を用いて移動部材１００６が押さえ込みサイクルを実行した場合の、用紙押さえ部材１００４の移動軌跡Ａ３を示す図である。
【００９６】
以上、本実施の形態おける画像形成システムによれば、画像形成装置Ａから排出される用紙Ｓを受けとる用紙押さえ装置１０００を用いることにより、画像形成装置Ａから排出される用紙Ｓにカールが生じている場合であっても、用紙押さえ部材１００４により用紙Ｓのカールを押さえ込み、次に搬送される用紙Ｓの進入を遮ることはない。
【００９７】
また、カム機構を有する移動部材１００６に対して一つの位置変更機構を採用することのみで、用紙搬送方向に沿った用紙Ｓの長さに対応して、押さえ込みサイクルの初期位置である「待機位置」の変更を可能としている。このように、簡易な機構を採用することで、装置構成の大型化を回避し、また、製造コストの上昇の抑制を可能としている。
【００９８】
なお、上記実施の形態では、ガイドカバー１００３の好ましい形態として、用紙積載台１００２の表面から第１の距離Ｌ１（図５参照）を隔てた位置において、スリット孔１００２ｈに沿って設けられる第１カバー領域１００３ａと、スリット孔１００２ｈが設けられていない領域に沿って設けられ、第１の距離Ｌ１よりも短い第２の距離Ｌ２（図５参照）の位置に設けられる第２カバー領域１００３ｂとを有する構成としている。
【００９９】
また、第２の距離Ｌ２は、用紙押さえ爪１００４ｔの先端部１００４ｔ１が、第１位置における先端部１００４ｔ１と用紙積載台１００２の表面との間の距離（Ｌ３）よりも大きく設け、第１の距離Ｌ１は、先端部１００４ｔ１が、第２位置における先端部１００４ｔ１と用紙積載台１００２の表面との間の距離（Ｌ４）よりも小さくなる構成とした。
【０１００】
これにより、用紙Ｓの大きなカールを押さえ込むことを可能としているが、用紙Ｓのカールの大きさが比較的小さく、カールの幅が、用紙押さえ爪１００４ｔの先端部１００４ｔ１が第２位置に位置する場合の先端部１００４ｔ１と用紙積載台１００２の表面との間の距離Ｌ４よりも小さい場合には、ガイドカバー１００３を設けなくても良い場合がある。
【０１０１】
また、複数の用紙押さえ爪１００４ｔを、用紙Ｓの用紙搬送方向に対して交差する方向に複数並べる場合について説明したが、用紙押さえ爪１００４ｔを１本のみ用いる構成を採用することも可能である。
【０１０２】
また、図７から図１２に示すカム機構を画像形成装置Ａから排出される用紙Ｓを受けとる用紙押さえ装置１０００に適用する場合について説明したが、上記カム機構と、このカム機構に対して押さえ込みサイクルの初期位置である待機位置の変更を可能にする位置変更機構を含む、カム保持装置を、同様のサイクルが求められる装置に適用することも可能である。
【０１０３】
なお、上記用紙押さえ装置１０００については、後処理装置ＦＳに設けられた搬送路Ｈ１に沿って設けるようにしたことから、用紙押さえ部材１００４の移動軌跡も搬送路Ｈ１に沿った略上下方向への移動を開示しているが、搬送路Ｈ１が略水平に設けられる構成の場合には、用紙押さえ部材１００４の移動軌跡も搬送路Ｈ１に沿った略水平方向への移動となる。上記実施の形態における上下方向の説明においては、上方向（用紙搬送方向の上流側）が第１方向、下方向（用紙搬送方向の下流側）が第１方向とは反対の第２方向となる。
【０１０４】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【０１０５】
１Ａ  イメージセンサ、２  画像処理部、３  画像書込部、４  画像形成部、４Ａ  感光体ドラム、４Ｂ  転写手段、５  給紙カセット、６  給紙ローラ手段、７  定着装置、８，２２  排紙ローラ、８Ａ  搬送路切り替え板、９  自動両面コピー給紙部、２０  用紙搬入部、２１，２３  搬送ローラ、３０ａ，３０ｂ  挿入紙給紙部、４０  孔あけ処理部、５０  折り部、５１  折り板、５２  折り上ローラ、５３  折り下ローラ、５４  第２折りローラ、５５  搬送路切替部材、５６  案内部材、５７  先端停止部材、６０  処理部、７０  集積部、７１  端綴じ処理部、７２  中綴じ処理部、７２ａ  受針機構、７２ｂ  打針機構、８０  排紙部、８１  固定排紙皿、８２  昇降排紙皿、８３  下部排紙皿、１００  用紙スタック部、１０１，１０２  上流側ガイド部材、１０３，１０４  下流側ガイド部材、１０５  規制部材、１０００  用紙押さえ装置、１００１  側面フレーム、１００２  用紙積載台、１００２ｈ  スリット孔、１００３  ガイドカバー、１００３ａ  第１カバー領域、１００３ｂ  第２カバー領域、１００４  用紙押さえ部材、１００４Ｂ  ベース部、１００４Ｆ  フランジ部、１００４ａ  軸ピン、１００４ｂ  ピン孔、１００４ｔ  用紙押さえ爪、１００４ｔ１  先端部、１００５  カム溝、１００５Ｒ１  第１領域、１００５Ｒ２  第２領域、１００５Ｒ３  第３領域、１００５ａ  第１溝、１００５ｂ  上部スロープ、１００５ｃ  第２溝、１００５ｄ  傾斜側壁、１００５ｅ  下部スロープ、１００５ｆ  下端壁、１００６  移動部材、１００６ａ  ピン挿入孔、１００６ｂ  第１摺動ピン、１００６ｃ  第２摺動ピン、１００６ｘ  連結部、１００７，１００９  コイルばね、１００８  カム部材、１００８ａ  カムピン、１００８ｂ  円環部、１００８ｃ  固定爪、１０１０  摺動溝、１０１９  駆動モータ、Ａ  画像形成装置、Ｂ１  駆動ベルト、ＣＬ  回転軸芯、ＣＭ  カム機構、ＤＦ  自動原稿送り装置、ＦＳ  後処理装置、ＨＭ  位置変更機構、Ｐ１  下部プーリ、Ｐ２  上部プーリ、Ｐ３  中間プーリ。
【図１】
2012136337.tif 000003
【図２】
2012136337.tif 000004
【図３】
2012136337.tif 000005
【図４】
2012136337.tif 000006
【図５】
2012136337.tif 000007
【図６】
2012136337.tif 000008
【図７】
2012136337.tif 000009
【図８】
2012136337.tif 000010
【図９】
2012136337.tif 000011
【図１０】
2012136337.tif 000012
【図１１】
2012136337.tif 000013
【図１２】
2012136337.tif 000014
【図１３】
2012136337.tif 000015
【図１４】
2012136337.tif 000016
【図１５】
2012136337.tif 000017
【図１６】
2012136337.tif 000018
【図１７】
2012136337.tif 000019
【図１８】
2012136337.tif 000020
【図１９】
2012136337.tif 000021
【図２０】
2012136337.tif 000022
【図２１】
2012136337.tif 000023
【図２２】
2012136337.tif 000024
【図２３】
2012136337.tif 000025
【図２４】
2012136337.tif 000026
【図２５】
2012136337.tif 000027